(57)【要約】【課題】横漏れが防止され、使用時に吸収層のへたりやよれを発生し難く、肌当接面のドライ感が向上した吸収性物品を提供すること。【解決手段】吸水部２１及び撥水部２２を有する吸収層２を備えた縦長の吸収性物品１であって、前記吸水部２１と前記撥水部２２とが前記吸収性物品１の長手方向Ｌと直行する方向Ｓに交互に配されており、且つ前記吸収層２の少なくとも該長手方向Ｌに沿った最外縁部２ａ，２ａが該撥水部２２である。詳しくは、前記吸水部２１及び前記撥水部２２がそれぞれ複数あり、且つ複数の該吸水部２１及び該撥水部２２それぞれが、前記吸収性物品１の長手方向Ｌに沿って直線状に形成されている。【選択図】図１
2008264148.tif 000002
【特許請求の範囲】
【請求項１】
吸水部及び撥水部を有する吸収層を備えた縦長の吸収性物品であって、
前記吸水部と前記撥水部とが前記吸収性物品の長手方向と直行する方向に交互に配されており、且つ前記吸収層の少なくとも該長手方向に沿った最外縁部が該撥水部である吸収性物品。
【請求項２】
前記吸水部及び前記撥水部がそれぞれ複数あり、複数の該吸水部及び該撥水部それぞれが、前記吸収性物品の長手方向に沿って直線状に形成されている請求項１記載の吸収性物品。
【請求項３】
前記吸収性物品の長手方向と直交する方向の中央に、他の前記吸水部に比して幅広で且つ長手方向の長さが短い中央吸水部が配されており、該中央吸水部の長手方向両端縁より外方それぞれに前記撥水部が配されている請求項２記載の吸収性物品。
【請求項４】
前記撥水部の圧縮回復率が３０％以上であり、且つ前記吸収層の非肌当接面側に該吸収層に隣接して、該撥水部の形成部材と同一の部材から形成されたクッション層が配されている請求項２記載の吸収性物品。
【請求項５】
前記吸収層が、前記吸収性物品の中央部に渦巻状に連続して配置された前記吸水部及び前記撥水部からなり、該吸水部と該撥水部とが該渦巻の半径方向に交互に配されている請求項１記載の吸収性物品。
【請求項６】
前記吸収層が、前記吸収性物品の中央部に複数同心円状に配置された環状の前記吸水部及び前記撥水部を含んで構成されており、該吸水部と該撥水部とが該同心円の半径方向に交互に配されており、該吸収層の最も内方に位置する環状の該撥水部によって囲まれた該吸収層の中央部の全域が、前記吸水部である請求項１記載の吸収性物品。
【請求項７】
前記吸収層の肌当接面が液透過性シートで被覆されている請求項１〜６の何れかに記載の吸収性物品。
【請求項８】
複数の前記吸水部及び前記撥水部は、それぞれ個別に、少なくとも長手方向両端面を除く部分が液透過性シートで被覆されており、且つ隣接する該吸水部と該撥水部との間が該液透過性シートを介して接合されている請求項２記載の吸収性物品。
【請求項９】
複数の前記吸水部及び前記撥水部は、これらの肌当接面を被覆する第１の液透過性シートと非肌当接面を被覆する第２の液透過性シートとの間に介在配置されており、且つ隣接する該吸水部と該撥水部との隙間に位置する該第１の液透過性シートと該第２の液透過性シートとの間が接合されている請求項２記載の吸収性物品。
【請求項１０】
前記吸収層の非肌当接面側に吸水性シートが配されている請求項１〜９の何れかに記載の吸収性物品。
【発明の詳細な説明】
【技術分野】
【０００１】
本発明は、経血、尿等の排泄体液を吸収する吸収層を備えた、生理用ナプキン、失禁パッド、使い捨ておむつ等の吸収性物品に関する。
【背景技術】
【０００２】
従来、排泄体液を処理するための吸収性物品において、その吸収層は、パルプ繊維や吸水性ポリマー等の吸水性部材のみを用いて連続一体的に且つ縦長に形成されているものが主流である。斯かる構成の吸収層を具備する従来の吸収性物品においては、該吸収層の略中央部で体液を受けるように該吸収層が配されているところ、該吸収層における長手方向と直交する方向（幅方向）の両側縁部への液到達時間が、該長手方向の両端部への液到達時間よりも相当速いものとなり、長手方向に液の未吸収部分を残した状態で、ナプキンの長手方向両側縁部まで液が到達する場合がある。そして、ナプキンの長手方向両側縁部における吸収層中の体液が飽和に達した段階で該吸収層から表面シートを伝わって体液が溢れ出し、横漏れが発生するという問題があった。
【０００３】
このような問題を解決するため、吸収層内での幅方向への液拡散を抑制する検討が種々試みられており、例えば特許文献１には、吸収層を、その中央部近辺の横断面において横方向に交互になるように疎水性材と親水性材とを配置することにより形成する技術が開示されている。また、特許文献２には、吸収性コアの受液（肌当接面）側に、互いに平行な列を成し且つ内部に親水性素材によるクッション層が設けられている複数の膨らみ部を形成する技術が開示されている。
【０００４】
しかし、特許文献１及び２に開示されている技術は、吸収層の幅方向の最外縁部を親水性材で形成するため、該最外縁部に達した液の幅方向への更なる拡散を防止することができず、横漏れの防止に充分とは言い難いものであった。また、特に特許文献２の技術は、体液を最初に受ける部位である前記膨らみ部が親水性素材から形成されており、吸収層の肌当接面の略全面が親水性であるため、体液吸収後に吸収性物品の肌当接面がべたつき易く、肌当接面（表面シート）のドライ感に乏しいという欠点がある。また、従来の吸収性物品は、その吸収層の立体形状が使用により扁平形状となったり（即ち、へたってしまったり）、吸収層がよれたりすることがあり、その結果、吸収性物品のフィット性が低下したり、吸収力の向上がみられなくなるという問題がある。これらの問題を一挙に解決した技術は未だ提供されていない。
【０００５】
【特許文献１】特開平１−２８５２６６３号公報
【特許文献２】特開平１１−３１８９８３号公報
【発明の開示】
【発明が解決しようとする課題】
【０００６】
従って本発明の目的は、横漏れが防止され、使用時に吸収層のへたりやよれを発生し難く、肌当接面のドライ感が向上した吸収性物品を提供することにある。
【課題を解決するための手段】
【０００７】
本発明は、吸水部及び撥水部を有する吸収層を備えた縦長の吸収性物品であって、前記吸水部と前記撥水部とが前記吸収性物品の長手方向と直行する方向に交互に配されており、且つ前記吸収層の少なくとも該長手方向に沿った最外縁部が該撥水部である吸収性物品を提供することにより、前記目的を達成したものである。
【発明の効果】
【０００８】
本発明の吸収性物品は、横漏れを起こし難く、使用時に吸収層がへたったり、よれたりすることがなく、肌当接面のドライ感に優れている。
【発明を実施するための最良の形態】
【０００９】
以下、本発明の吸収性物品を、その好ましい実施形態に基づき図面を参照して説明する。
図１には、本発明の第１実施形態としての生理用ナプキンが示されている。図２は、図１におけるＩ−Ｉ線断面図である。
【００１０】
第１実施形態のナプキン１は、吸水部２１及び撥水部２２を有する吸収層２を備えており、図１に示すように縦長に形成されている。ナプキン１は、更に、液透過性シートとしての表面シート３と、該ナプキン１の非肌当接面を形成する裏面シート４とを備えている。吸収層２は、縦長の長方形形状を有しており、表面シート３と裏面シート４との間に介在配置されている。ナプキン１の周縁部においては、吸収層２の周縁から外方に延出した表面シート３と裏面シート４とが、ヒートシールや接着剤を介して接合されている。
【００１１】
吸収層２の肌当接面は表面シート３（液透過性シート）で被覆されている。肌当接面は、ナプキン着用時に着用者の肌側に向けられる面である。また、以下、非肌当接面という語句を使用することがあるが、非肌当接面は、ナプキン着用時に下着側（着用者の肌側とは反対側）に向けられる面である。
【００１２】
吸水部２１は、尿等の体液の吸収能を有する部位であり、吸水性を有する吸水性部材からなる。吸水性部材としては、親水性繊維からなる繊維集合体、親水性繊維と吸水性ポリマーとの混合積繊体、親水化処理された合成繊維よりなる繊維ウエブあるいは不織布や、それらウエブあるいは不織布と吸水性ポリマーとの混合物等を用いることができる。これらの中でも、特に親水性繊維と吸水性ポリマーとの混合積繊体が好ましい。親水性繊維としては、界面活性剤等を用いた親水化処理によらず親水性を有する既知の繊維、例えば木材パルプや植物パルプ等の天然繊維、レーヨン等の再生繊維、アセテート化したセルロース繊維等を用いることができる。また、これらの繊維に公知の親水化処理を施した合成繊維を、繊維重量中５０重量％を越えない範囲で、好ましくは３０重量％以下で、より好ましくは全く含まないで用いることもできる。吸水性ポリマーとしては、従来使用されている吸水性ポリマーの材料、例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、ポリアクリル酸セシウム等を用いることができる。
【００１３】
また、前記合成繊維としては、ポリエチレン、ポリプロピレン、ポリエステル等の合成樹脂を使用したものを用いることができ、単繊維及び複合繊維の何れの形態でも良い。親水化処理に使用する界面活性剤としては、繊維形状の形成中もしくは形成後に水に溶解して繊維表面に付着させることもできるが、安定した親水性を発現するために、樹脂中に練り込んだ後樹脂表面に析出するもの、界面活性剤の一部を繊維表面付着後の後加工によって樹脂中に埋没させるもの、水に対する溶解性の低いものを用いることが好ましい。
【００１４】
前記吸水性部材として、親水性繊維と吸水性ポリマーとの混合積繊体を用いる場合、該混合積繊体における親水性繊維と吸水性ポリマーとの含有比率は、重量比で、（親水性繊維／吸水性ポリマー）＝１００／５〜１００／１５０が好ましく、１００／１０〜１００／７０が更に好ましい。
【００１５】
前記吸水性部材は、図３に示すように、少なくともその長手方向の両端面を除く部分の全面が、台紙で被覆されている。台紙は、吸収性部材の保形性を保ち、吸水性ポリマー等の脱落を防止するものである。台紙としては、ティッシュペーパー等の紙や各種不織布に代表される親水性の繊維シートや、穿孔フィルムなどを用いることができる。
【００１６】
撥水部２２は、体液の吸収能を有していない部位であり、撥水性を有する撥水性部材からなる。撥水性部材としては、合成樹脂に表面処理が施されずにウエブ化もしくは不織布化できるスパンボンド不織布やメルトブロー積繊（不織布）、繊維表面で疎水性を示す界面活性剤処理を施した繊維を積繊したウエブや不織布等を用いることができる。これらの中でも、特に前記スパンボンド不織布又はスパンボンド‐メルトブロー複合不織布を折畳んだ、あるいは、円筒状に重ね合わせた等の構造体や、疎水性を示す界面活性剤で処理した繊維ウエブを熱風処理し不織布化したものが好ましい。
【００１７】
吸水部２１及び撥水部２２の親水性・撥水性は、水による「液滴法」により測定される。「液適法」は、以下のようにして行なう。液滴形成が可能で１滴の重量が０．３〜０．３５ｇとなるスポイドを使用し、スポイドの先端に液滴を形成し、測定サンプルの上面に静かに液滴を移行する。液滴の移行時には、わずかに液滴の重量を増やすようにすることが必要な場合もある。使用する液体は水であるが、予め表面張力を測定し７０mN／ｍ以上であること確認しておく。液滴は測定サンプルの異なる１０ヶ所、好ましくは異なる２０ヶ所以上に形成し、３０秒及び1分での液滴の残存数を１００分率で算出する（これを以下、残存率とする）。ここで、液滴が残存しているとする判断は、液滴と測定サンプルとの接触面における（任意の位置における）幅と、液滴の頂点と該接触面の略中間点における幅とを比較し、該接触面における幅が該中間点における幅の１．２倍以内の場合は液滴が残存しているとみなし、液滴がない場合や該接触面における幅が該中間点における幅の１．２倍を超える場合（即ち、液滴が広がっている場合）は液滴が残存していないものとみなす。
【００１８】
吸水部２１は、上記液滴法による３０秒後の液滴の残存率が、好ましくは３０％以下、更に好ましくは２０％以下、より好ましくは０％である。一方、撥水部２２は、上記液滴法による３０秒後の液滴の残存率が、好ましくは８０％超であり、更に好ましくは上記液滴法による1分後の液滴の残存率が８０％超、より好ましくは該１分後の液滴の残存率が１００％である。
【００１９】
吸水部２１と撥水部２２とで、上記液適法による親水性・撥水性の評価の差が大きいほど、即ち、液滴の残存率の差が大きいほど、横漏れ防止効果が高まる。斯かる知見に基づき、より優れた横漏れ防止効果を得る観点から、吸水部２１の上記液滴法による３０秒後の液滴の残存率が２０％以下であり、撥水部２２の上記液滴法による１分後の液滴の残存率が８０％超であることが特に好ましい。
【００２０】
第１実施形態においては、上述の如き構成の吸水部２１及び撥水部２２がそれぞれ複数あり（第１実施形態では、吸水部２１は３つ、撥水部２２は４つある）、且つ複数の該吸水部２１及び該撥水部２２それぞれが、ナプキン１の長手方向Ｌに沿って直線状に形成されている。吸水部２１及び撥水部２２それぞれは、ナプキン１の幅方向Ｓに沿った断面視において肌当接面側が上に凸の蒲鉾型形状を有しており、吸収層２の肌当接面は、全体として該断面視において波状に形成されている。また、第１実施形態においては、吸水部２１と撥水部２２とが実質的に密接して配されている。実質的に密接とは、隣接する吸水部２１と撥水部２２との間の間隔が１ｍｍ以下の場合を意味する。
【００２１】
そして、吸水部２１と撥水部２２とは、ナプキン１の長手方向Ｌと直行する方向（幅方向）Ｓに交互に配されており、且つ吸収層２の該長手方向Ｌに沿った最外縁部２ａ，２ａが、該撥水部２２である。吸収層２がこのように構成されていることにより、排泄された体液の幅方向Ｓへの拡散が撥水部２２の作用により抑制され、横漏れが効果的に防止される。また、吸収部２１と撥水部２２とが幅方向Ｓに交互に配されていることにより、パルプ繊維や吸水性ポリマー等の吸水性部材のみを用いて連続一体的に形成されている吸収層を備えた従来のナプキンに比して、肌当接面全体のドライ感が向上すると共に、吸収層２の使用時における形態安定性が向上し、吸収層２のへたりやよれが効果的に防止される。
【００２２】
各吸水部２１の坪量は、好ましくは２００〜１０００ｇ／ｍ2、更に好ましくは３５０〜７００ｇ／ｍ2であり、無荷重下における厚みｔは、好ましくは２〜１０ｍｍ、更に好ましくは３〜５ｍｍであり、幅（ナプキン１の幅方向Ｓの長さ）ｗは、好ましくは５〜３０ｍｍ、更に好ましくは１０〜２０ｍｍであり、長手方向の長さは、好ましくは８０〜１５０ｍｍ、更に好ましくは１００〜１２０ｍｍである。
各撥水部２２の坪量は、好ましくは３０〜９０ｇ／ｍ2、更に好ましくは５０〜８０ｇ／ｍ2であり、無荷重下における厚みｔは、好ましくは２〜１０ｍｍ、更に好ましくは３〜５ｍｍであり、最大幅（ナプキン１の幅方向Ｓの最大長さ）ｗは、好ましくは５〜３０ｍｍ、更に好ましくは１０〜２０ｍｍであり、長手方向の長さは、好ましくは８０〜１５０ｍｍ、更に好ましくは１００〜１２０ｍｍである。
第１実施形態においては、複数の吸水部２１、複数の撥水部２２はそれぞれ同一形状で同じ大きさであり、また、吸水部２１と撥水部２２とも同一形状で同じ大きさであるが、これらの間で形状、大きさ（坪量、厚みｔ、幅ｗ、長手方向の長さ等）が異なっていても良い。
【００２３】
また、吸収層２による上述した効果を確実に奏させるようにする観点から、ナプキン１の幅方向Ｓに沿った断面視において、吸水部２１の数は好ましくは３〜７、更に好ましくは３〜５であり、撥水部２２の数は好ましくは４〜８、更に好ましくは４〜６である。
【００２４】
表面シート３（液透過性シート）としては、この種の吸収性物品において従来用いられている各種のものを用いることができ、例えば、不織布や開孔フィルム等の各種液透過性のシート材を用いることができる。表面シート３の一例として、芯成分にポリプロピレンやポリエステル、鞘成分にポリエチレンを用いた、芯鞘構造型（サイドバイサイド型含む）複合繊維をカーディングによりウエブ化した後、エアスルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
表面シート３（液透過性シート）の坪量は、好ましくは１５〜４０ｇ／ｍ2、更に好ましくは２０〜３０ｇ／ｍ2であり、厚みは、好ましくは５０〜１００μｍ、更に好ましくは７０〜８０μｍである。
【００２５】
裏面シート４としては、この種の吸収性物品において従来用いられている各種のものを用いることができ、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。
裏面シート４の坪量は、好ましくは１０〜５０ｇ／ｍ2、更に好ましくは２０〜３０ｇ／ｍ2であり、厚みは、好ましくは２０〜５０μｍ、更に好ましくは２５〜３５μｍである。
【００２６】
第１実施形態においては、図２に示すように、吸収層２の非肌当接面側に該吸収層２に隣接して吸水性シート５が配されている。吸水性シート５は、吸水層２の平面視における形状と同一の形状（長方形形状）を有しており、裏面シート４の肌当接面上に配されて、吸収層２の非肌当接面の全面を被覆している。このように、吸収層２の非肌当接面側に吸水性シート５が配されていることにより、ナプキン１全体の吸収容量が高まり、液漏れ（横漏れ）が一層効果的に防止される。吸水性シート５としては、例えば、ティッシュ、パルプの積繊体、パルプと吸水性ポリマーとの混合積層体や、特開平８−２４６３９５号公報に記載のポリマーシート等を用いることができる。これらの中でも、特に、パルプと吸水性ポリマーとの混合積層体及びポリマーシートが好ましい。
【００２７】
吸水性シート５による上記効果を確実に奏させるようにする観点から、吸水性シート５の坪量は、好ましくは１０〜１００ｇ／ｍ2、更に好ましくは１５〜６０ｇ／ｍ2であり、厚みは、好ましくは０．１〜１ｍｍ、更に好ましくは０．２〜０．５ｍｍである。
【００２８】
第１実施形態のナプキン１の非肌当接面（裏面シート４の外表面）には、該ナプキン１を下着のクロッチ部（股下部）に固定する粘着部（図示せず）が形成されている。この粘着部は、ホットメルト接着剤を所定のパターンで塗布することにより形成されており、ナプキン１の使用前においては、公知の剥離シート（図示せず）によって被覆されている。該剥離シートは、該粘着部に対して剥離可能に接着し、ナプキン１の使用時に剥離されるもので、通常、ナプキン１よりも大きく形成されており、使用前のナプキン１の非肌当接面の全面を被覆する。
【００２９】
第１実施形態のナプキン１を使用するには、先ず、上述した図示しない剥離シートを引き剥がして、図示しない粘着部を露出させた状態にする。次いで、ナプキン１を、露出させた該粘着部が下着のクロッチ部の肌当接面と対向するように該クロッチ部上に載置し、該粘着部を介して該クロッチ部上に固定する。こうしてナプキン１を下着に装着して使用することができる。
【００３０】
第１実施形態のナプキン１によれば、吸水部２１及び撥水部２２を有する吸収層２が上述したように構成されているため、体液がナプキン１の幅方向に広がりにくく、横漏れが効果的に防止されると共に、肌当接面（表面シート３）のドライ感が向上しており、不快なべたつき感が低減されている。また、第１実施形態のナプキン１は、吸収層２の使用時における形態安定性に優れているため、使用時に吸収層２のへたりやよれを起こし難く、フィット性にも優れている。更に、第１実施形態のナプキン１は、吸収層２の非肌当接面側に吸水性シート５が配されているため、実用上充分な吸収容量を有しており、漏れ防止性に特に優れている。
【００３１】
以下、本発明の他の実施形態（第２〜７実施形態）について説明する。後述する他の実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００３２】
図４は、本発明の第２実施形態の肌当接面側（表面シート側）を一部破断して示す平面図である。第２実施形態においては、ナプキン１の長手方向Ｌと直交する方向（幅方向）Ｓの中央に、他の吸水部２１に比して幅広で且つ長手方向の長さが短い中央吸水部２１Ｗが配されており、該中央吸水部２１Ｗの長手方向両端縁より外方それぞれに撥水部２２が配されている。中央吸水部２１Ｗが配されている領域は、ナプキン１の着用時に着用者の排泄部が位置する部位（排泄ポイント）を含む領域である。このような構成の第２実施形態によっても、上述した第１実施形態と同様の効果が奏される。特に第２実施形態においては、中央吸水部２１Ｗによって、ナプキン１の中央部（排泄ポイント）での体液の吸収性が向上すると共に、該中央吸水部２１Ｗの長手方向両端縁より外方それぞれに配された撥水部２２によって、幅方向Ｓの中央部における体液の長手方向Ｌへの拡散が抑制されるため、上述した体液の幅方向Ｓへの拡散防止効果（主として、吸水部２１と撥水部２２とが幅方向Ｓに交互に配され、且つ吸収層２の長手方向Ｌに沿った最外縁部が撥水部２２であることにより奏される効果）と相俟って、液の拡散がより効果的に抑制され、液漏れ防止に特に優れた効果が得られる。
【００３３】
中央吸水部２１Ｗの幅（ナプキン１の幅方向Ｓの長さ）は、好ましくは２０〜５０ｍｍ、更に好ましくは３０〜４０ｍｍである。また、中央吸水部２１Ｗの長手方向の長さは、好ましくは５０〜８０ｍｍ、更に好ましくは６０〜７０ｍｍである。中央吸水部２１Ｗの坪量は、好ましくは２００〜１０００ｇ／ｍ2、更に好ましくは５００〜７００ｇ／ｍ2であり、無荷重下における厚みは、好ましくは２〜１０ｍｍ、更に好ましくは３〜５ｍｍである。中央吸水部２１Ｗの長手方向両端縁より外方それぞれに配された撥水部２２の幅及び厚みは、該中央吸水部２１Ｗの幅及び厚みと同一に調整することができる。また、該撥水部２２の長手方向の長さは、図４に示すように、これらと中央吸水部２１Ｗとを直列に配置したときの直列方向の全長が、他の吸水部２１の長手方向の長さと等しくなるように調整することができる。
【００３４】
図５は、本発明の第３実施形態を示す図である。第３実施形態のナプキン１においては、複数の吸水部２１及び撥水部２２は、それぞれ個別に、少なくとも長手方向両端面を除く部分が表面シート３（液透過性シート）で被覆されており、且つ隣接する該吸水部２１と該撥水部２２との間が該表面シート３を介して接合されて、接合部６が形成されている。このように、吸収層２を構成する吸水部２１及び撥水部２２がそれぞれ個別に表面シート３で被覆されていることにより、表面シート３のだぶつきによるしわが発生しにくくなり、フィット性の更なる向上が図られ、しわによる身体との隙間からの漏れが効果的に低減される。吸水部２１と撥水部２２との接合手段（接合部６の形成手段）としては、例えばホットメルト接着剤、超音波シール、ヒートシールの単独及び複合手段等を用いることができる。
【００３５】
図６は、本発明の第４実施形態を示す図である。第４実施形態のナプキン１においては、複数の吸水部２１及び撥水部２２は、これらの肌当接面を被覆する第１の液透過性シート３とこれらの非肌当接面を被覆する第２の液透過性シート３’との間に介在配置されており、且つ隣接する該吸水部２１と該撥水部２２との隙間に位置する該第１の液透過性シート３と該第２の液透過性シート３’との間が接合されて、接合部７が形成されている。接合部７の幅は、好ましくは１．５〜５ｍｍ、更に好ましくは２〜３ｍｍである。第１の液透過性シート３と該第２の液透過性シート３’との間の接合手段（接合部７の形成手段）としては、公知のエンボス加工装置等を用いた加熱加圧処理（ヒートプレス）が好ましく用いられる。このように、吸水部２１及び撥水部２２の肌当接面及び非肌当接面をそれぞれ被覆する２枚の液透過性シート３，３’を、隣接する吸水部２１と撥水部２２との隙間でヒートプレス等により接合一体化することにより、吸水部２１を構成する吸水性部材に、肌当接面側から非肌当接面側に向けて吸水性部材の密度が大きくなる密度勾配が形成され、その結果、液吸収速度が向上すると共に、吸収層のよれにくさが向上し、第１の液透過性シート３（表面シート）にしわが発生しにくくなり、フィット性の更なる向上が図られる。第１及び第２の液透過性シート３，３’としては、上述した第１実施形態における表面シート３（液透過性シート）と同様のものを用いることができ、第１の液透過性シート３と第２の液透過性シート３’とで、形成材料が同一でも異なっていても良い。
【００３６】
図７は、本発明の第５実施形態を示す図である。第５実施形態のナプキン１においては、撥水部２２の圧縮回復率が好ましくは３０％以上であり、更に好ましくは５０〜９０％であり、且つ吸収層２の非肌当接面側に該吸収層２に隣接して、該撥水部２２の形成部材と同一の部材から形成されたクッション層８が配されている。このような構成により、ナプキン１全体のクッション性が向上し、ナプキン使用時の安心感、フィット性の更なる向上が図られると共に、ナプキン１のよれにくさが向上する。ここで、圧縮回復率は次の方法にて測定される。
【００３７】
圧縮回復率の測定法；測定前にシートを計測寸法（２ｃｍ×２ｃｍ以上）にカットし２４時間２３℃５０％ＲＨの環境下に放置して、測定前にシートに加えられている歪みを取り除く。圧縮測定器を用いて、シートを０．０２ｍｍ／ｓｅｃの圧縮速度で最大荷重５０ｇｆ／ｃｍ2になるまで圧縮した時の圧縮仕事量（ａ）、その後同速度で圧力を取り除き荷重が０になった時の回復仕事量（ｂ）から、次式によって圧縮回復率（％）を算出する。  圧縮回復率＝（ｂ／ａ）×１００（％）  圧縮測定器は、例えばカトーテック（株）製ハンディー圧縮試験機（ＫＥＳ−Ｇ５）を使用し、加圧板円形２ｃｍ2、自動反転、アンプ感設定（SENS２、STROKESET５．０）とし、ハンディ圧縮測定プログラムによりデータ化する。
【００３８】
第５実施形態においては、吸収層２を構成する撥水部２２とクッション層８とは一体に形成されているが、別体の撥水部２２と別体のクッション層とを接着剤等の接合手段により接合しても良い。上記所定の圧縮回復率を有する撥水部２２を構成する撥水性部材としては、例えば、発泡ウレタンやポリオレフィン発泡体、エアレイド不織布のような嵩高性不織布等を用いることができる。これらの中でも、特にエアレイド不織布が好ましい。
【００３９】
クッション層８の坪量は、好ましくは３０〜９０ｇ／ｍ2、更に好ましくは５０〜７５ｇ／ｍ2であり、無荷重下における厚みは、好ましくは２〜１０ｍｍ、更に好ましくは３〜５ｍｍである。
【００４０】
図８及び図９は、本発明の第６実施形態を示す図である。第６実施形態のナプキン１においては、吸収層２が、ナプキン１の中央部に渦巻状に連続して配置された吸水部２１及び撥水部２２からなり、該吸水部２１と該撥水部２２とが該渦巻の半径方向に交互に配されている。第６実施形態においては、吸収層２の長手方向Ｌに沿った最外縁部のみならず、吸収層２の最外縁部全体が撥水部２２である。このような構成の第６実施形態によっても、上述した第１実施形態と同様の効果が奏される。特に第６実施形態は、吸水部２１と撥水部２２とが、ナプキン１の幅方向Ｓのみならず、長手方向Ｌに対しても交互に配されているため、液拡散の抑制効果に優れており、液漏れ防止効果が特に高い。
【００４１】
第６実施形態においては、吸水部２１、撥水部２２共に、１本の長尺の吸水性部材あるいは撥水性部材からなる。第６実施形態の吸収層２は、この長尺の吸水性部材と長尺の撥水性部材とを並列させた状態で渦巻状に巻回して半径方向に並列に配置して形成されている。長尺の該吸水性部材と長尺の該撥水性部材との間は、接着剤等の公知の接合手段により接合されており、吸水部２１と撥水部２２とは実質的に密接して配されている。第６実施形態の吸収層２の肌当接面は表面シート３（液透過性シート）で被覆されており、該吸収層２の非肌当接面側には該吸収層２に隣接して吸水性シート５が配されている。
【００４２】
第６実施形態においては、吸水部２１、撥水部２２それぞれの幅（渦巻の半径方向の長さ）は、好ましくは２〜５ｍｍ、更に好ましくは２〜４ｍｍであり、それぞれの厚みは、好ましくは２〜１０ｍｍ、更に好ましくは３〜５ｍｍである。吸水部２１と撥水部２２とで幅及び厚みはそれぞれ同一でも異なっていても良い。
【００４３】
図１０は、本発明の第７実施形態を示す図である。第７実施形態のナプキン１においては、吸収層２が、ナプキン１の中央部に複数同心円状に配置された環状の吸水部２１及び撥水部２２を含んで構成されており、該吸水部２１と該撥水部２２とが該同心円の半径方向に交互に配されており、該吸収層２の最も内方に位置する環状の該撥水部２２によって囲まれた該吸収層２の中央部の全域（図１０中、斜線を付した部分）が、吸水部２１である。図１０に示す吸収層２は、３つの環状の吸水部２１と４つの環状の撥水部２２とを含んでいる。第７実施形態においては、第６実施形態と同様に、吸収層２の最外縁部全体が撥水部２２である。環状の吸水部２１及び撥水部２２それぞれの幅（同心円の半径方向の長さ）及び厚みは、第６実施形態と同様にすることができる。このような構成の第７実施形態によっても、上述した第６実施形態と同様の効果が奏される。特に第７実施形態においては、排泄ポイントが位置する領域である吸収層２の中央部に吸水部２１が配されているため、ナプキン１の中央部での集中的な体液吸収が可能であり、上述した体液の長手方向Ｌ及び幅方向Ｓへの拡散防止効果と相俟って、液拡散の抑制効果に非常に優れており、液漏れ防止効果が特に高い。
【００４４】
以上、本発明をその好ましい実施形態に基づき説明したが、本発明は前記実施形態に制限されない。
例えば前記実施形態では、本発明の吸収性物品の適用例の一つとして生理用ナプキンを挙げたが、例えばパンティライナ、失禁ライナ、失禁パッド、使い捨ておむつ等にも適用できる。また、本発明の吸収性物品の適用例の一つである生理用ナプキンは、その長手方向両側縁部それぞれにウイングが形成されたウイング付きナプキンであっても良い。
【図面の簡単な説明】
【００４５】
【図１】本発明の第１実施形態である生理用ナプキンの肌当接面側（表面シート側）を一部破断して示す平面図である。
【図２】図１のＩ−Ｉ線断面を模式的に示す拡大断面図である。
【図３】図１に示す吸水部を一部破断して模式的に示す斜視図である。
【図４】本発明の第２実施形態の図１相当図である。
【図５】本発明の第３実施形態の図２相当図である。
【図６】本発明の第４実施形態の図２相当図である。
【図７】本発明の第５実施形態の図２相当図である。
【図８】本発明の第６実施形態の図１相当図である。
【図９】図８のＩ−Ｉ線断面を模式的に示す拡大断面図である。
【図１０】本発明の第７実施形態の図１相当図である。
【符号の説明】
【００４６】
１  生理用ナプキン（吸収性物品）
２  吸収層
２１  吸水部
２２  撥水部
２ａ  吸収層のナプキン長手方向Ｌに沿った最外縁部
３  表面シート〔（第１の）液透過性シート〕
３’  第２の液透過性シート
４  裏面シート
５  吸水性シート
６、７  接合部
８  クッション層
【図１】
2008264148.tif 000003
【図２】
2008264148.tif 000004
【図３】
2008264148.tif 000005
【図４】
2008264148.tif 000006
【図５】
2008264148.tif 000007
【図６】
2008264148.tif 000008
【図７】
2008264148.tif 000009
【図８】
2008264148.tif 000010
【図９】
2008264148.tif 000011
【図１０】
2008264148.tif 000012